(57)【要約】【課題】画像表示領域を第１領域と第２領域とに分割する境界位置を適正に設定する。【解決手段】プロジェクター１００の制御方法は、画像表示領域ＲＢを第１領域Ａ１と第２領域Ａ２とに分割する境界位置ＰＢを設定し、第１画像Ｐ１を、第１領域Ａ１に表示し、第１画像Ｐ１と相違する第２画像Ｐ２を、第２領域Ａ２に表示し、画像表示領域ＲＢのサイズ及び位置の少なくとも一方が変化した場合に、境界位置ＰＢを再設定する。【選択図】図９
2020194107.tif 000002
【特許請求の範囲】
【請求項１】
画像表示領域を第１領域と第２領域とに分割する境界位置を設定し、
第１画像を、前記第１領域に表示し、
前記第１画像と相違する第２画像を、前記第２領域に表示し、
前記画像表示領域のサイズ及び位置の少なくとも一方が変化した場合に、前記境界位置を再設定する、表示装置の制御方法。
【請求項２】
画像を表示可能な領域を示す表示可能領域の一部を前記画像表示領域に設定する、請求項１に記載の表示装置の制御方法。
【請求項３】
前記表示可能領域のうち、ツールバーを除く領域を前記画像表示領域に設定する、請求項２に記載の表示装置の制御方法。
【請求項４】
前記第１領域のサイズと前記第２領域のサイズとが等しくなるように、前記境界位置として第１境界位置を設定する、請求項１から３のいずれか１項に記載の表示装置の制御方法。
【請求項５】
前記第１領域のサイズが前記第２領域のサイズより大きくなるように、前記境界位置として第２境界位置を設定する、請求項４に記載の表示装置の制御方法。
【請求項６】
ユーザーの第１の操作に応じて、前記境界位置を前記第１境界位置から前記第２境界位置に再設定し、ユーザーの前記第１の操作と異なる第２の操作に応じて、前記境界位置を前記第２境界位置から前記第１境界位置に再設定する、請求項５に記載の表示装置の制御方法。
【請求項７】
前記第１画像は、第１入力インターフェースから入力され、
前記第２画像は、前記第１入力インターフェースと相違する第２入力インターフェースから入力される、請求項１から６のいずれか１項に記載の表示装置の制御方法。
【請求項８】
前記第１画像のアスペクト比である第１アスペクト比と、前記第２画像のアスペクト比である第２アスペクト比と、に応じて、前記境界位置を調整する、請求項１から７のいずれか１項に記載の表示装置の制御方法。
【請求項９】
前記第１アスペクト比と、前記第２アスペクト比とに応じて、前記画像表示領域において画像が表示されない領域の面積が減少するように、前記境界位置を調整する、請求項８に記載の表示装置の制御方法。
【請求項１０】
前記境界位置は、前記画像表示領域の短辺方向と平行に配置される、請求項９記載の表示装置の制御方法。
【請求項１１】
前記画像表示領域を前記第１領域、前記第２領域、第３領域及び第４領域に分割する境界位置を設定し、
前記第１画像、及び前記第２画像と相違する第３画像を、前記第３領域に表示し、
前記第１画像、前記第２画像、及び前記第３画像と相違すると相違する第４画像を、前記第４領域に表示し、
前記境界位置は、前記画像表示領域の短辺方向と平行に配置される境界位置と、前記画像表示領域の長辺方向と平行に配置される境界位置とを含む、請求項１から９のいずれか１項に記載の表示装置の制御方法。
【請求項１２】
画像表示領域を第１領域と第２領域とに分割する境界位置を設定する設定部と、
第１画像を前記第１領域に表示し、前記第１画像と相違する第２画像を前記第２領域に表示する表示制御部と、
前記画像表示領域のサイズ及び位置の少なくとも一方が変化した場合に、前記境界位置を再設定する再設定部と、
を備える、表示装置。
【発明の詳細な説明】
【技術分野】
【０００１】
本発明は、表示装置の制御方法、及び表示装置に関する。
【背景技術】
【０００２】
複数の画像を１つの表示領域に表示する表示装置が知られている（例えば、特許文献１参照）。
特許文献１に記載の表示装置は、第１画像が配置される第１領域と、第２画像が配置される第２領域と、を含む表示画像を生成する生成部と、表示画像を表示面に表示する表示部と、を含む。表示画像は、特定領域を含む。特定領域は、第１領域と第２領域とに分割されている。生成部は、第１画像の形状と第２画像の形状とに基づいて、第１領域と第２領域との境界の位置を決定する。
【先行技術文献】
【特許文献】
【０００３】
【特許文献１】特開２０１９−１５８３４号公報
【発明の概要】
【発明が解決しようとする課題】
【０００４】
特許文献１に記載の表示装置では、画像が表示される領域（特定領域）のサイズや位置が変化する場合については考慮されていないため、第１領域と第２領域との境界の位置を設定する処理において改善の余地があった。
例えば、画像が表示される領域のアスペクト比が変化した場合には、第１領域と第２領域との境界の位置が適切な位置ではなくなる可能性がある。また、例えば、画像が表示される領域にツールバーが表示されており、ツールバーの表示位置が変化した場合には、第１領域と第２領域との境界の位置が適切な位置ではなくなる可能性がある。
【課題を解決するための手段】
【０００５】
上記課題を解決する一態様は、画像表示領域を第１領域と第２領域とに分割する境界位置を設定し、第１画像を、前記第１領域に表示し、前記第１画像と相違する第２画像を、前記第２領域に表示し、前記画像表示領域のサイズ及び位置の少なくとも一方が変化した場合に、前記境界位置を再設定する、表示装置の制御方法である。
【０００６】
上記表示装置の制御方法において、画像を表示可能な領域を示す表示可能領域の一部を前記画像表示領域に設定する構成であってもよい。
【０００７】
上記表示装置の制御方法において、前記表示可能領域のうち、ツールバーを除く領域を前記画像表示領域に設定する構成であってもよい。
【０００８】
上記表示装置の制御方法において、前記第１領域のサイズと前記第２領域のサイズとが等しくなるように、前記境界位置として第１境界位置を設定する構成であってもよい。
【０００９】
上記表示装置の制御方法において、前記第１領域のサイズが前記第２領域のサイズより大きくなるように、前記境界位置として第２境界位置を設定する構成であってもよい。
【００１０】
上記表示装置の制御方法において、ユーザーの第１の操作に応じて、前記境界位置を前記第１境界位置から前記第２境界位置に再設定し、ユーザーの前記第１の操作と異なる第２の操作に応じて、前記境界位置を前記第２境界位置から前記第１境界位置に再設定する構成であってもよい。
【００１１】
上記表示装置の制御方法において、前記第１画像は、第１入力インターフェースから入力され、前記第２画像は、前記第１入力インターフェースと相違する第２入力インターフェースから入力される構成であってもよい。
【００１２】
上記表示装置の制御方法において、前記第１画像のアスペクト比である第１アスペクト比と、前記第２画像のアスペクト比である第２アスペクト比と、に応じて、前記境界位置を調整する構成であってもよい。
【００１３】
上記表示装置の制御方法において、前記第１アスペクト比と、前記第２アスペクト比とに応じて、前記画像表示領域において画像が表示されない領域の面積が減少するように、前記境界位置を調整する構成であってもよい。
【００１４】
上記表示装置の制御方法において、前記境界位置は、前記画像表示領域の短辺方向と平行に配置される構成であってもよい。
【００１５】
上記表示装置の制御方法において、前記画像表示領域を前記第１領域、前記第２領域、第３領域及び第４領域に分割する境界位置を設定し、前記第１画像、及び前記第２画像と相違する第３画像を、前記第３領域に表示し、前記第１画像、前記第２画像、及び前記第３画像と相違すると相違する第４画像を、前記第４領域に表示し、前記境界位置は、前記画像表示領域の短辺方向と平行に配置される境界位置と、前記画像表示領域の長辺方向と平行に配置される境界位置とを含む構成であってもよい。
【００１６】
上記課題を解決する別の一態様は、画像表示領域を第１領域と第２領域とに分割する境界位置を設定する設定部と、第１画像を前記第１領域に表示し、前記第１画像と相違する第２画像を前記第２領域に表示する表示制御部と、前記画像表示領域のサイズ及び位置の少なくとも一方が変化した場合に、前記境界位置を再設定する再設定部と、を備える、表示装置である。
【図面の簡単な説明】
【００１７】
【図１】プロジェクターの構成の一例を示す図。
【図２】プロジェクターの制御部の構成の一例を示す図。
【図３】画像表示領域のアスペクト比に応じた境界位置の一例を示す図。
【図４】ツールバーの表示位置に応じた第１境界位置の一例を示す図。
【図５】ツールバーの表示位置に応じた第２境界位置の一例を示す図。
【図６】ツールバーの表示位置に応じた第１境界位置の他の一例を示す図。
【図７】境界位置の調整処理の一例を示す図。
【図８】境界位置の調整処理の他の一例を示す図。
【図９】制御部の処理の一例を示すフローチャート。
【発明を実施するための形態】
【００１８】
以下、図面を参照して実施形態について説明する。
【００１９】
［１．プロジェクターの構成］
図１は、プロジェクター１００の構成を示す図である。
表示システム１は、プロジェクター１００と、画像供給装置２００とを備える。プロジェクター１００は、「表示装置」の一例に対応する。
【００２０】
プロジェクター１００は、投射部１１０と、投射部１１０を駆動する駆動部１２０とを備える。投射部１１０は、光学的な画像の形成を行い、スクリーン１０５に画像を投射する。
投射部１１０は、光源部１１１、光変調装置１１２及び投射光学系１１３を備える。駆動部１２０は、光源駆動部１２１及び光変調装置駆動部１２２を備える。
【００２１】
光源部１１１は、ハロゲンランプ、キセノンランプ、超高圧水銀ランプ等のランプ、又はＬＥＤ（Ｌｉｇｈｔ  Ｅｍｉｔｔｉｎｇ  Ｄｉｏｄｅ）やレーザー光源等の固体光源を備える。
また、光源部１１１は、光源が発した光を光変調装置１１２に導くリフレクター及び補助リフレクターを備えてもよい。更に、光源部１１１は、投射光の光学特性を高めるためのレンズ群、偏光板、又は光源が発した光の光量を光変調装置１１２に至る経路上で低減させる調光素子等を備えてもよい。
光源駆動部１２１は、内部バス１０７に接続され、同じく内部バス１０７に接続された制御部１５０の指示に従って、光源部１１１の光源を点灯及び消灯させる。
【００２２】
光変調装置１１２は、例えば、Ｒ、Ｇ及びＢの三原色に対応した３枚の液晶パネル１１５を備える。Ｒは赤色を示し、Ｇは緑色を示し、Ｂは青色を示す。すなわち、光変調装置１１２は、Ｒ色光に対応した液晶パネル１１５と、Ｇ色光に対応した液晶パネル１１５と、Ｂ色光に対応した液晶パネル１１５とを備える。
光源部１１１が発する光はＲＧＢの３色の色光に分離され、それぞれ対応する液晶パネル１１５に入射される。３枚の液晶パネル１１５の各々は、透過型の液晶パネルであり、透過する光を変調して画像光ＰＬを生成する。各液晶パネル１１５を通過して変調された画像光ＰＬは、クロスダイクロイックプリズム等の合成光学系によって合成され、投射光学系１１３に射出される。
本実施形態では、光変調装置１１２が光変調素子として透過型の液晶パネル１１５を備える場合について説明するが、本実施形態はこれに限定されない。光変調素子は反射型の液晶パネルであってもよいし、デジタルミラーデバイス（Ｄｉｇｉｔａｌ  Ｍｉｃｒｏｍｉｒｒｏｒ  Ｄｅｖｉｃｅ）であってもよい。
【００２３】
光変調装置１１２は、光変調装置駆動部１２２によって駆動される。光変調装置駆動部１２２は、画像処理部１４５に接続される。
光変調装置駆動部１２２には、画像処理部１４５からＲ，Ｇ，Ｂの各原色に対応する画像データが入力される。光変調装置駆動部１２２は、入力された画像データを液晶パネル１１５の動作に適したデータ信号に変換する。光変調装置駆動部１２２は、変換したデータ信号に基づいて、各液晶パネル１１５の各画素に電圧を印加し、各液晶パネル１１５に画像を描画する。
【００２４】
投射光学系１１３は、入射された画像光ＰＬをスクリーン１０５上に結像させるレンズやミラー等を備える。また、投射光学系１１３は、スクリーン１０５に投射される画像を拡大又は縮小させるズーム機構や、フォーカスの調整を行うフォーカス調整機構等を備えてもよい。
【００２５】
プロジェクター１００は、操作部１３１、リモコン受光部１３３、入力インターフェース１３５、記憶部１３７、画像インターフェース１４１、フレームメモリー１４３、画像処理部１４５及び制御部１５０を更に備える。入力インターフェース１３５、記憶部１３７、画像インターフェース１４１、画像処理部１４５及び制御部１５０は、内部バス１０７を介して相互にデータ通信可能に接続される。
【００２６】
操作部１３１は、プロジェクター１００の筐体表面に設けられた各種のボタンやスイッチを備え、これらのボタンやスイッチの操作に対応した操作信号を生成して、入力インターフェース１３５に出力する。入力インターフェース１３５は、操作部１３１から入力された操作信号を制御部１５０に出力する。
【００２７】
リモコン受光部１３３は、リモコン５から送信される赤外線信号を受光し、受光した赤外線信号をデコードして操作信号を生成する。リモコン受光部１３３は、生成した操作信号を入力インターフェース１３５に出力する。入力インターフェース１３５は、リモコン受光部１３３から入力された操作信号を制御部１５０に出力する。
【００２８】
記憶部１３７は、例えば、ハードディスクドライブやＳＳＤ（Ｓｏｌｉｄ  Ｓｔａｔｅ  Ｄｒｉｖｅ）等の不揮発性の記憶装置である。記憶部１３７は、制御部１５０が実行する制御プログラムや、制御部１５０が処理したデータ、画像データ等を記憶する。
【００２９】
画像インターフェース１４１は、コネクター及びインターフェース回路を備え、プロジェクター１００に画像データを供給する画像供給装置２００に有線接続される。画像供給装置２００が供給する画像データは、静止画像データであってもよいし、動画像データであってもよい。また、画像供給装置２００は、ＤＶＤ（Ｄｉｇｉｔａｌ  Ｖｅｒｓａｔｉｌｅ  Ｄｉｓｋ）やブルーレイ（Ｂｌｕ−ｒａｙ：登録商標）等の光ディスクの再生装置であってもよいし、パーソナルコンピューターであってもよい。
また、本実施形態では、プロジェクター１００と画像供給装置２００とが有線で接続される場合について説明するが、プロジェクター１００と画像供給装置２００とが無線で接続されてもよい。
【００３０】
画像供給装置２００は、プロジェクター１００に接続される。画像供給装置２００は、プロジェクター１００にＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）信号を供給する。ＨＤＭＩ信号には、画像データや音声データ等が含まれる。画像データは、動画像の画像データであってもよいし、静止画像の画像データであってもよい。また、音声データは、モノラルの音声データであってもよいし、ステレオの音声データであってもよい。また、ステレオよりも多くの音声チャネルを用いるサラウンド方式の音声データであってもよい。
【００３１】
画像供給装置２００には、例えばノート型ＰＣ（Ｐｅｒｓｏｎａｌ  Ｃｏｍｐｕｔｅｒ)、デスクトップ型ＰＣやタブレット端末、スマートフォン、ＰＤＡ（Ｐｅｒｓｏｎａｌ  Ｄｉｇｉｔａｌ  Ａｓｓｉｓｔａｎｔ）等を用いることができる。また、画像供給装置２００として、ビデオ再生装置、ＤＶＤプレーヤー、ブルーレイディスクプレーヤー、ハードディスクレコーダー、テレビチューナー装置、ＣＡＴＶ（Ｃａｂｌｅ  ｔｅｌｅｖｉｓｉｏｎ）のセットトップボックス、ビデオゲーム機等を用いてもよい。
【００３２】
画像インターフェース１４１は、画像供給装置２００から画像信号を受信し、受信した画像信号に含まれる画像データ及び同期信号を取り出す。画像データは、複数の画素の各々の階調を色成分毎に示すデータである。また、同期信号は、同期タイミングを示す信号であり、水平同期信号及び垂直同期信号を含む。画像インターフェース１４１は、画像信号から取り出した同期信号を、制御部１５０及び画像処理部１４５に出力し、画像データを画像処理部１４５に出力する。制御部１５０は、水平同期信号及び垂直同期信号に基づいて、処理を実行するタイミングを判定し、判定したタイミングに基づいてプロジェクター１００の各部を制御する。画像処理部１４５は、水平同期信号及び垂直同期信号に同期して画像データに対して画像処理を実行し、画像処理後の画像データを光変調装置駆動部１２２に出力する。
【００３３】
本実施形態では、画像供給装置２００は、第１画像供給装置２１０、第２画像供給装置２２０、第３画像供給装置２３０、及び第４画像供給装置２４０を備える。第１画像供給装置２１０は、画像インターフェース１４１に第１画像Ｐ１を示す画像情報を供給し、第２画像供給装置２２０は、画像インターフェース１４１に第２画像Ｐ２を示す画像情報を供給する。第３画像供給装置２３０は、画像インターフェース１４１に第３画像Ｐ３を示す画像情報を供給し、第４画像供給装置２４０は、画像インターフェース１４１に第４画像Ｐ４を示す画像情報を供給する。第１画像Ｐ１と第２画像Ｐ２と第３画像Ｐ３と第４画像Ｐ４とは互いに相違する。
【００３４】
制御部１５０は、メモリー１５Ａ及びプロセッサー１５Ｂを備える。
メモリー１５Ａは、プロセッサー１５Ｂが実行するプログラムやデータを不揮発的に記憶する記憶装置である。メモリー１５Ａは、磁気的記憶装置、フラッシュＲＯＭ等の半導体記憶素子、或いはその他の種類の不揮発性記憶装置により構成される。また、メモリー１５Ａは、プロセッサー１５Ｂのワークエリアを構成するＲＡＭを含んでもよい。メモリー１５Ａは、制御部１５０により処理されるデータや、プロセッサー１５Ｂが実行する制御プログラムを記憶する。
【００３５】
プロセッサー１５Ｂは、単一のプロセッサーで構成されてもよいし、複数のプロセッサーがプロセッサー１５Ｂとして機能する構成であってもよい。プロセッサー１５Ｂは、制御プログラムを実行してプロジェクター１００の各部を制御する。例えば、プロセッサー１５Ｂは、操作部１３１やリモコン５により受け付けた操作に対応した画像処理の実行指示と、この画像処理に用いるパラメーターとを画像処理部１４５に出力する。パラメーターには、例えば、スクリーン１０５に投射する画像の幾何的な歪みを補正するための幾何補正パラメーター等が含まれる。また、プロセッサー１５Ｂは、光源駆動部１２１を制御して光源部１１１の点灯と消灯とを制御し、また光源部１１１の輝度を調整する。
【００３６】
画像処理部１４５及びフレームメモリー１４３は、例えば、集積回路により構成することができる。集積回路は、ＬＳＩ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）を含む。ＰＬＤには、例えば、ＦＰＧＡ（Ｆｉｅｌｄ−Ｐｒｏｇｒａｍｍａｂｌｅ  Ｇａｔｅ  Ａｒｒａｙ）が含まれる。また、集積回路の構成の一部にアナログ回路が含まれていてもよく、プロセッサーと集積回路との組み合わせであってもよい。プロセッサーと集積回路との組み合わせは、マイクロコントローラー（ＭＣＵ）、ＳｏＣ（Ｓｙｓｔｅｍ−ｏｎ−ａ−ｃｈｉｐ）、システムＬＳＩ、チップセットなどと呼ばれる。
【００３７】
画像処理部１４５は、画像インターフェース１４１から入力された画像データをフレームメモリー１４３に展開する。フレームメモリー１４３は、複数のバンクを備える。各バンクは、１フレーム分の画像データを書き込み可能な記憶容量を有する。フレームメモリー１４３は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成される。
【００３８】
画像処理部１４５は、フレームメモリー１４３に展開した画像データに対して、例えば、解像度変換処理又はリサイズ処理、歪曲収差の補正、形状補正処理、デジタルズーム処理、画像の色合いや輝度の調整等の画像処理を行う。
また、画像処理部１４５は、フレームレート変換処理を実行する。フレームレート変換処理とは、液晶パネル１１５に描画する画像データのフレーム周波数を、画像供給装置２００から供給された画像データのフレーム周波数とは異なる周波数に変換する処理である。フレーム周波数とは、単位時間である１秒当たりに表示される画像数であり、垂直同期信号の周波数に対応する。画像供給装置２００から供給された画像データのフレーム周波数を入力フレーム周波数といい、液晶パネル１１５に描画する画像データのフレーム周波数を描画周波数という。
【００３９】
画像処理部１４５は、垂直同期信号の入力フレーム周波数を描画周波数に変換した垂直同期信号を生成する。生成した垂直同期信号を出力同期信号という。画像処理部１４５は、生成した出力同期信号を光変調装置駆動部１２２に出力する。
入力フレーム周波数、すなわち、垂直同期信号の周波数が６０Ｈｚである場合には、画像処理部１４５は、例えば、６０Ｈｚを２倍した１２０Ｈｚの描画周波数、又は６０Ｈｚを４倍した２４０Ｈｚの描画周波数の出力同期信号を生成する。画像処理部１４５は、フレームメモリー１４３から読み出した画像データを、生成した出力同期信号と共に光変調装置駆動部１２２に出力する。光変調装置駆動部１２２は、入力された出力同期信号に同期して、液晶パネル１１５に画像を描画する倍速処理を実行する。
【００４０】
また、画像処理部１４５は、画像データの１フレームから複数のサブフレームを生成する。サブフレームとは、１フレーム分の画像データの表示期間に表示する画像データである。画像処理部１４５は、フレームメモリー１４３から同一の画像データを複数回、読み出すことでサブフレームを生成する。また、本実施形態では、画像処理部１４５は、画像データを複数に分割し、分割した領域ごとにサブフレームを生成する。
【００４１】
［２．プロジェクターの制御部の構成］
図２は、プロジェクター１００の制御部１５０の構成を示す図である。
図２に示すように、プロジェクター１００の制御部１５０は、設定部１５１と、表示制御部１５２と、再設定部１５３と、調整部１５４とを備える。具体的には、制御部１５０のプロセッサー１５Ｂが、メモリー１５Ａに記憶された制御プログラムを実行することによって、設定部１５１、表示制御部１５２、再設定部１５３及び調整部１５４として機能する。
【００４２】
設定部１５１は、画像を表示可能な領域を示す表示可能領域ＲＡの一部を画像表示領域ＲＢに設定する。具体的には、表示可能領域ＲＡのうち、ツールバーＴＢを除く領域を画像表示領域ＲＢに設定する。表示可能領域ＲＡ及び画像表示領域ＲＢの各々は矩形状である。ツールバーＴＢは、ユーザーの操作を受け付ける帯状の領域を示す。ツールバーＴＢには、アイコンやボタンオブジェクト等が配置される。表示可能領域ＲＡは、液晶パネル１１５の有する画素に対応し、画像表示領域ＲＢは、液晶パネル１１５の有する画素のうちツールバーＴＢが描画されていない画素に対応する。
また、設定部１５１は、画像表示領域ＲＢを第１領域Ａ１と第２領域Ａ２とに分割する境界位置ＰＢを設定する。例えば、設定部１５１は、第１領域Ａ１のサイズと第２領域Ａ２のサイズとが等しくなるように、境界位置ＰＢとして第１境界位置ＰＢ１を設定する。また、例えば、設定部１５１は、第１領域Ａ１のサイズが第２領域Ａ２のサイズより大きくなるように、境界位置ＰＢとして第２境界位置ＰＢ２を設定する。また、例えば、設定部１５１は、第１領域Ａ１のサイズが第２領域Ａ２のサイズより小さくなるように、境界位置ＰＢとして第３境界位置ＰＢ３を設定する。
【００４３】
表示制御部１５２は、第１画像Ｐ１を、第１領域Ａ１に表示し、第１画像Ｐ１と相違する第２画像Ｐ２を、第２領域Ａ２に表示する。具体的には、第１画像Ｐ１は、第１入力インターフェースから入力され、第２画像Ｐ２は、第１入力インターフェースと相違する第２入力インターフェースから入力される。第１入力インターフェース及び第２入力インターフェースは、図１に示す入力インターフェース１３５に含まれる。
更に具体的には、第１画像Ｐ１は、入力インターフェース１３５を介して、第１画像供給装置２１０から供給される。第２画像Ｐ２は、入力インターフェース１３５を介して、第２画像供給装置２２０から供給される。
【００４４】
また、表示制御部１５２は、第１画像Ｐ１の上端及び下端、若しくは、左端及び右端が第１領域Ａ１の周辺に位置するように第１画像Ｐ１を配置する。換言すれば、表示制御部１５２は、第１画像Ｐ１のアスペクト比を保持したまま、可能な限り大きいサイズで第１画像Ｐ１を第１領域Ａ１に表示する。
また、表示制御部１５２は、第２画像Ｐ２の上端及び下端、若しくは、左端及び右端が第２領域Ａ２の周辺に位置するように第２画像Ｐ２を配置する。換言すれば、表示制御部１５２は、第２画像Ｐ２のアスペクト比を保持したまま、可能な限り大きいサイズで第２画像Ｐ２を第２領域Ａ２に表示する。
【００４５】
再設定部１５３は、画像表示領域ＲＢのサイズ及び位置の少なくとも一方が変化した場合に、境界位置ＰＢを再設定する。
また、設定部１５１が境界位置ＰＢとして第１境界位置ＰＢ１を設定する場合には、再設定部１５３は、ユーザーの操作に応じて、境界位置ＰＢを第１境界位置ＰＢ１から第２境界位置ＰＢ２に再設定する。また、境界位置ＰＢを再設定した後に、再設定部１５３は、ユーザーの操作に応じて、境界位置ＰＢを第２境界位置ＰＢ２から第１境界位置ＰＢ１に再設定する。境界位置ＰＢを第１境界位置ＰＢ１から第２境界位置ＰＢ２に再設定するユーザーの操作が「第1の操作」の一例に対応し、境界位置ＰＢを第２境界位置ＰＢ２から第１境界位置ＰＢ１に再設定するユーザーの操作が「第２の操作」の一例に対応する。ユーザーの操作は、リモコン５又は操作部１３１を介して受け付けられる。
また、設定部１５１が境界位置ＰＢとして第２境界位置ＰＢ２を設定する場合には、再設定部１５３は、ユーザーの操作に応じて、境界位置ＰＢを第２境界位置ＰＢ２から第３境界位置ＰＢ３に再設定する。また、境界位置ＰＢを再設定した後に、再設定部１５３は、ユーザーの操作に応じて、境界位置ＰＢを第３境界位置ＰＢ３から第２境界位置ＰＢ２に再設定する。境界位置ＰＢを第２境界位置ＰＢ２から第３境界位置ＰＢ３に再設定するユーザーの操作が「第1の操作」の一例に対応し、境界位置ＰＢを第３境界位置ＰＢ３から第２境界位置ＰＢ２に再設定するユーザーの操作が「第２の操作」の一例に対応する。
また、設定部１５１が境界位置ＰＢとして第３境界位置ＰＢ３を設定する場合には、再設定部１５３は、ユーザーの操作に応じて、境界位置ＰＢを第３境界位置ＰＢ３から第１境界位置ＰＢ１に再設定する。また、境界位置ＰＢを再設定した後に、再設定部１５３は、ユーザーの操作に応じて、境界位置ＰＢを第１境界位置ＰＢ１から第３境界位置ＰＢ３に再設定する。境界位置ＰＢを第３境界位置ＰＢ３から第１境界位置ＰＢ１に再設定するユーザーの操作が「第1の操作」の一例に対応し、境界位置ＰＢを第１境界位置ＰＢ１から第３境界位置ＰＢ３に再設定するユーザーの操作が「第２の操作」の一例に対応する。
【００４６】
調整部１５４は、第１画像Ｐ１のアスペクト比である第１アスペクト比と、第２画像Ｐ２のアスペクト比である第２アスペクト比と、に応じて、境界位置ＰＢを調整する。
具体的には、調整部１５４は、第１アスペクト比と第２アスペクト比とに応じて、画像表示領域ＲＢにおいて画像が表示されない領域の面積が減少するように、境界位置ＰＢを調整する。
【００４７】
［３．プロジェクターの制御部の処理の具体例］
次に、図３〜図８を参照して、プロジェクター１００の制御部１５０の処理の具体例について説明する。
［３−１．画像表示領域のアスペクト比の影響］
図３は、画像表示領域ＲＢのアスペクト比に応じた境界位置ＰＢの一例を示す図である。本実施形態では、表示可能領域ＲＡのアスペクト比が、１６：１０である場合について説明する。また、本実施形態では、表示可能領域ＲＡは、スクリーン１０５の表示面に対応する。また、図３では、ツールバーＴＢが表示されていない場合について説明する。
【００４８】
図３の上段に示す図では、画像表示領域ＲＢ１のアスペクト比が表示可能領域ＲＡのアスペクト比と同一であるため、画像表示領域ＲＢ１が表示可能領域ＲＡと一致している。すなわち、画像表示領域ＲＢ１のアスペクト比は、１６：１０である。画像表示領域ＲＢ１は、画像表示領域ＲＢの一例を示す。
設定部１５１は、第１領域Ａ１のサイズと第２領域Ａ２のサイズとが等しくなるように、境界位置ＰＢとして第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ１の短辺方向と平行な方向を示す。
【００４９】
図３の中段に示す図では、画像表示領域ＲＢ２は、表示可能領域ＲＡよりも横長であるため、表示可能領域ＲＡの上下に非投射領域ＲＣが配置される。非投射領域ＲＣは、表示可能領域ＲＡにおいて画像光ＰＬが投射されない領域に対応する。換言すれば、非投射領域ＲＣは、表示可能領域ＲＡにおいて画像表示領域ＲＢ２の外側の領域を示す。
具体的には、画像表示領域ＲＢ２のアスペクト比は、例えば１６：６である。画像表示領域ＲＢ２は、画像表示領域ＲＢの一例を示す。
設定部１５１は、第１領域Ａ１のサイズと第２領域Ａ２のサイズとが等しくなるように、境界位置ＰＢとして第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ２の短辺方向と平行な方向を示す。
【００５０】
図３の下段に示す図では、画像表示領域ＲＢ３は、表示可能領域ＲＡよりも縦長であるため、表示可能領域ＲＡの左右に非投射領域ＲＣが配置される。非投射領域ＲＣは、表示可能領域ＲＡにおいて画像光ＰＬが投射されない領域に対応する。換言すれば、非投射領域ＲＣは、表示可能領域ＲＡにおいて画像表示領域ＲＢ３の外側の領域を示す。
具体的には、画像表示領域ＲＢ３のアスペクト比は、例えば４：３である。画像表示領域ＲＢ３は、画像表示領域ＲＢの一例を示す。
設定部１５１は、第１領域Ａ１のサイズと第２領域Ａ２のサイズとが等しくなるように、境界位置ＰＢとして第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ３の短辺方向と平行な方向を示す。
【００５１】
図３を参照して説明したように、画像表示領域ＲＢのアスペクト比に応じて、第１領域Ａ１のサイズと第２領域Ａ２のサイズとが等しくなるように、第１境界位置ＰＢ１を設定できる。
【００５２】
［３−２．ツールバーの表示位置の影響］
図４は、ツールバーＴＢの表示位置に応じた第１境界位置ＰＢ１の一例を示す図である。図４では、表示可能領域ＲＡのアスペクト比が、１６：１０であって、表示可能領域ＲＡが非投射領域ＲＣを含まない場合について説明する。すなわち、表示可能領域ＲＡが、ツールバーＴＢの領域と、画像表示領域ＲＢとで構成される場合について説明する。
【００５３】
図４の上段に示す図では、ツールバーＴＢが、表示可能領域ＲＡの下端に表示可能領域ＲＡの長辺に沿って配置される。
この場合には、設定部１５１は、表示可能領域ＲＡのうち、ツールバーＴＢを除く領域を画像表示領域ＲＢ４１に設定する。その結果、画像表示領域ＲＢ４１は、表示可能領域ＲＡよりも横長である。画像表示領域ＲＢ４１は、画像表示領域ＲＢの一例を示す。
また、設定部１５１は、第１領域Ａ１のサイズと第２領域Ａ２のサイズとが等しくなるように、境界位置ＰＢとして第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ４１の短辺方向と平行な方向を示す。
【００５４】
図４の中段に示す図では、ツールバーＴＢが、表示可能領域ＲＡの左端に表示可能領域ＲＡの短辺に沿って配置される。
この場合には、設定部１５１は、表示可能領域ＲＡのうち、ツールバーＴＢを除く領域を画像表示領域ＲＢ４２に設定する。その結果、画像表示領域ＲＢ４２は、表示可能領域ＲＡよりも縦長である。画像表示領域ＲＢ４２は、画像表示領域ＲＢの一例を示す。
また、設定部１５１は、第１領域Ａ１のサイズと第２領域Ａ２のサイズとが等しくなるように、境界位置ＰＢとして第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ４２の短辺方向と平行な方向を示す。
【００５５】
図４の下段に示す図では、ツールバーＴＢが、表示可能領域ＲＡの右端に表示可能領域ＲＡの短辺に沿って配置される。
この場合には、設定部１５１は、表示可能領域ＲＡのうち、ツールバーＴＢを除く領域を画像表示領域ＲＢ４３に設定する。その結果、画像表示領域ＲＢ４３は、表示可能領域ＲＡよりも縦長である。画像表示領域ＲＢ４３は、画像表示領域ＲＢの一例を示す。
また、設定部１５１は、第１領域Ａ１のサイズと第２領域Ａ２のサイズとが等しくなるように、境界位置ＰＢとして第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ４３の短辺方向と平行な方向を示す。
【００５６】
図４を参照して説明したように、ツールバーＴＢが表示可能領域ＲＡに配置される場合に、第１領域Ａ１のサイズと第２領域Ａ２のサイズとが等しくなるように、第１境界位置ＰＢ１を設定できる。
【００５７】
図５は、ツールバーＴＢの表示位置に応じた第２境界位置ＰＢ２の一例を示す図である。図５では、表示可能領域ＲＡのアスペクト比が、１６：１０であって、表示可能領域ＲＡが非投射領域ＲＣを含まない場合について説明する。すなわち、表示可能領域ＲＡが、ツールバーＴＢの領域と、画像表示領域ＲＢとで構成される場合について説明する。
【００５８】
図５の上段に示す図では、ツールバーＴＢが、表示可能領域ＲＡの下端に表示可能領域ＲＡの長辺に沿って配置される。
この場合には、設定部１５１は、表示可能領域ＲＡのうち、ツールバーＴＢを除く領域を画像表示領域ＲＢ４１に設定する。その結果、画像表示領域ＲＢ４１は、表示可能領域ＲＡよりも横長である。画像表示領域ＲＢ４１は、画像表示領域ＲＢの一例を示す。
また、設定部１５１は、第１領域Ａ１のサイズが、第２領域Ａ２のサイズより大きくなるように、境界位置ＰＢとして第２境界位置ＰＢ２を設定する。すなわち、第２境界位置ＰＢ２は、第１領域Ａ１の左右方向のサイズＬＬが、第２領域Ａ２の左右方向のサイズＬＲより長くなるように上下方向に沿って直線状に配置される。上下方向は、画像表示領域ＲＢ４１の短辺方向と平行な方向を示す。
例えば、サイズＬＬは、サイズＬＲの３倍である。
【００５９】
図５の中段に示す図では、ツールバーＴＢが、表示可能領域ＲＡの左端に表示可能領域ＲＡの短辺に沿って配置される。
この場合には、設定部１５１は、表示可能領域ＲＡのうち、ツールバーＴＢを除く領域を画像表示領域ＲＢ４２に設定する。その結果、画像表示領域ＲＢ４２は、表示可能領域ＲＡよりも縦長である。画像表示領域ＲＢ４２は、画像表示領域ＲＢの一例を示す。
また、設定部１５１は、第１領域Ａ１のサイズが、第２領域Ａ２のサイズより大きくなるように、境界位置ＰＢとして第２境界位置ＰＢ２を設定する。すなわち、第２境界位置ＰＢ２は、第１領域Ａ１の左右方向のサイズＬＬが第２領域Ａ２の左右方向のサイズＬＲより長くなるように上下方向に沿って直線状に配置される。上下方向は、画像表示領域ＲＢ４２の短辺方向と平行な方向を示す。
例えば、サイズＬＬは、サイズＬＲの３倍である。
【００６０】
図５の下段に示す図では、ツールバーＴＢが、表示可能領域ＲＡの右端に表示可能領域ＲＡの短辺に沿って配置される。
この場合には、設定部１５１は、表示可能領域ＲＡのうち、ツールバーＴＢを除く領域を画像表示領域ＲＢ４３に設定する。その結果、画像表示領域ＲＢ４３は、表示可能領域ＲＡよりも縦長である。画像表示領域ＲＢ４３は、画像表示領域ＲＢの一例を示す。
また、設定部１５１は、第１領域Ａ１のサイズが、第２領域Ａ２のサイズより大きくなるように、境界位置ＰＢとして第２境界位置ＰＢ２を設定する。すなわち、第２境界位置ＰＢ２は、第１領域Ａ１の左右方向のサイズＬＬが第２領域Ａ２の左右方向のサイズＬＲより長くなるように、上下方向に沿って直線状に配置される。上下方向は、画像表示領域ＲＢ４３の短辺方向と平行な方向を示す。
例えば、サイズＬＬは、サイズＬＲの３倍である。
【００６１】
図５を参照して説明したように、第１領域Ａ１のサイズが第２領域Ａ２のサイズより大きくなるように、第２境界位置ＰＢ２を設定できる。同様にして、第２領域Ａ２のサイズが第１領域Ａ１のサイズより大きくなるように、第３境界位置ＰＢ３を設定できる。
【００６２】
［３−３．４分割の場合の境界位置］
図６は、ツールバーＴＢの表示位置に応じた第１境界位置ＰＢ１及び第１境界位置ＰＢ４の一例を示す図である。
図６に示すように、設定部１５１は、画像表示領域ＲＢを第１領域Ａ１と第２領域Ａ２と第３領域Ａ３と第４領域Ａ４とに分割する境界位置ＰＢを設定する。例えば、設定部１５１は、第１領域Ａ１のサイズ、第２領域Ａ２のサイズ、第３領域Ａ３のサイズ、及び第４領域Ａ４のサイズが互いに等しくなるように、境界位置ＰＢとして第１境界位置ＰＢ１及び第１境界位置ＰＢ４を設定する。
第１境界位置ＰＢ１は、画像表示領域ＲＢの短辺方向に沿って直線状に配置され、第１境界位置ＰＢ４は、画像表示領域ＲＢの長辺方向に沿って直線状に配置される。
【００６３】
図６の上段に示す図では、ツールバーＴＢが、表示可能領域ＲＡの下端に表示可能領域ＲＡの長辺に沿って配置される。
この場合には、設定部１５１は、表示可能領域ＲＡのうち、ツールバーＴＢを除く領域を画像表示領域ＲＢ４１に設定する。その結果、画像表示領域ＲＢ４１は、表示可能領域ＲＡよりも横長である。
また、設定部１５１は、第１領域Ａ１のサイズと第２領域Ａ２のサイズとが等しくなるように、第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ４１の短辺方向と平行な方向を示す。
また、設定部１５１は、第１領域Ａ１のサイズと第３領域Ａ３のサイズとが等しくなるように、第１境界位置ＰＢ４を設定する。すなわち、第１境界位置ＰＢ４は、第１領域Ａ１の上下方向のサイズＬＵが、第３領域Ａ３の上下方向のサイズＬＤと一致するように左右方向に沿って直線状に配置される。左右方向は、画像表示領域ＲＢ４１の長辺方向と平行な方向を示す。
【００６４】
図６の中段に示す図では、ツールバーＴＢが、表示可能領域ＲＡの左端に表示可能領域ＲＡの短辺に沿って配置される。
この場合には、設定部１５１は、表示可能領域ＲＡのうち、ツールバーＴＢを除く領域を画像表示領域ＲＢ４２に設定する。その結果、画像表示領域ＲＢ４２は、表示可能領域ＲＡよりも縦長である。
また、設定部１５１は、第１領域Ａ１のサイズと第２領域Ａ２のサイズとが等しくなるように、第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ４２の短辺方向と平行な方向を示す。
また、設定部１５１は、第１領域Ａ１のサイズと第３領域Ａ３のサイズとが等しくなるように、第１境界位置ＰＢ４を設定する。すなわち、第１境界位置ＰＢ４は、第１領域Ａ１の上下方向のサイズＬＵが、第３領域Ａ３の上下方向のサイズＬＤと一致するように左右方向に沿って直線状に配置される。左右方向は、画像表示領域ＲＢ４２の長辺方向と平行な方向を示す。
【００６５】
図６の下段に示す図では、ツールバーＴＢが、表示可能領域ＲＡの右端に表示可能領域ＲＡの短辺に沿って配置される。
この場合には、設定部１５１は、表示可能領域ＲＡのうち、ツールバーＴＢを除く領域を画像表示領域ＲＢ４３に設定する。その結果、画像表示領域ＲＢ４３は、表示可能領域ＲＡよりも縦長である。
また、設定部１５１は、第１領域Ａ１のサイズと第２領域Ａ２のサイズとが等しくなるように、第１境界位置ＰＢ１を設定する。すなわち、第１境界位置ＰＢ１は、第１領域Ａ１の左右方向のサイズＬＬが、第２領域Ａ２の左右方向のサイズＬＲと一致するように上下方向に沿って直線状に配置される。上下方向は、画像表示領域ＲＢ４３の短辺方向と平行な方向を示す。
また、設定部１５１は、第１領域Ａ１のサイズと第３領域Ａ３のサイズとが等しくなるように、第１境界位置ＰＢ４を設定する。すなわち、第１境界位置ＰＢ４は、第１領域Ａ１の上下方向のサイズＬＵが、第３領域Ａ３の上下方向のサイズＬＤと一致するように左右方向に沿って直線状に配置される。左右方向は、画像表示領域ＲＢ４３の長辺方向と平行な方向を示す。
【００６６】
図６を参照して説明したように、ツールバーＴＢの表示位置に応じて、第１領域Ａ１〜第４領域Ａ４の各々のサイズが同一になるように、第１境界位置ＰＢ１及び第１境界位置ＰＢ４を設定できる。
【００６７】
［３−４．境界位置の調整処理］
図７は、調整部１５４による境界位置ＰＢの調整処理の一例を示す図である。
図７の上段に示す図は、設定部１５１が第１境界位置ＰＢ１を設定し、表示制御部１５２が、第１画像Ｐ１を、第１領域Ａ１に表示し、第１画像Ｐ１と相違する第２画像Ｐ２を、第２領域Ａ２に表示した場合の画像図の一例である。
第１画像Ｐ１は、第１領域Ａ１よりも縦長の画像であり、第２画像Ｐ２は、第２領域Ａ２よりも横長の画像である。
【００６８】
調整部１５４は、第１画像Ｐ１のアスペクト比である第１アスペクト比と、第２画像Ｐ２のアスペクト比である第２アスペクト比と、に応じて、第１境界位置ＰＢ１を調整する。
具体的には、調整部１５４は、第１アスペクト比と第２アスペクト比とに応じて、画像表示領域ＲＢにおいて非表示領域ＲＤの面積が減少するように、境界位置ＰＢを調整する。非表示領域ＲＤは、画像が表示されない領域を示す。
更に具体的には、第１領域Ａ１には、第１画像Ｐ１の右側及び左側の各々に、非表示領域ＲＤ１が配置され、第２領域Ａ２には、第２画像Ｐ２の上側及び下側の各々に、非表示領域ＲＤ２が配置される。非表示領域ＲＤ１及び非表示領域ＲＤ２の各々は、非表示領域ＲＤの一例に対応する。
【００６９】
この場合には、図７の下段の図に示すように、調整部１５４は、境界位置ＰＢを第１境界位置ＰＢ１から境界位置ＰＢＡに調整する。具体的には、調整部１５４は、第１境界位置ＰＢ１を左方向に距離ＤＲ１だけ移動することによって、境界位置ＰＢを第１境界位置ＰＢ１から境界位置ＰＢＡに調整する。
その結果、第１領域Ａ１の左右方向のサイズは距離ＤＲ１だけ減少し、第２領域Ａ２の左右方向のサイズは距離ＤＲ１だけ増加する。
そして、表示制御部１５２は、第２領域Ａ２において左右方向の非表示領域ＲＤが発生しないように、アスペクト比を第２アスペクト比に保持して第２画像Ｐ２を拡大した第２画像Ｐ２Ａを第２領域Ａ２に表示する。
【００７０】
図７を参照して説明したように、非表示領域ＲＤの面積が減少するように、境界位置ＰＢを調整することによって、第１画像Ｐ１を縮小することなく第２画像Ｐ２を拡大できる。
なお、図７における第１アスペクト比と第２アスペクト比とが逆である場合には、非表示領域ＲＤの面積が減少するように、境界位置ＰＢを調整することによって、第２画像Ｐ２を縮小することなく第１画像Ｐ１を拡大できる。
【００７１】
図８は、調整部１５４による境界位置ＰＢの調整処理の他の一例を示す図である。図８は、図７と比較して、ツールバーＴＢが表示されている点で相違する。
図８の上段に示す図は、設定部１５１が第１境界位置ＰＢ１を設定し、表示制御部１５２が、第１画像Ｐ１を、第１領域Ａ１に表示し、第１画像Ｐ１と相違する第２画像Ｐ２を、第２領域Ａ２に表示した場合の画像図の一例である。
第１画像Ｐ１は、第１領域Ａ１よりも縦長の画像であり、第２画像Ｐ２は、第２領域Ａ２よりも横長の画像である。
【００７２】
調整部１５４は、第１画像Ｐ１のアスペクト比である第１アスペクト比と、第２画像Ｐ２のアスペクト比である第２アスペクト比と、に応じて、第１境界位置ＰＢ１を調整する。
具体的には、調整部１５４は、第１アスペクト比と第２アスペクト比とに応じて、画像表示領域ＲＢにおいて非表示領域ＲＤの面積が減少するように、境界位置ＰＢを調整する。非表示領域ＲＤは、画像が表示されない領域を示す。
更に具体的には、第１領域Ａ１には、第１画像Ｐ１の右側及び左側の各々に、非表示領域ＲＤ１が配置され、第２領域Ａ２には、第２画像Ｐ２の上側及び下側の各々に、非表示領域ＲＤ２が配置される。非表示領域ＲＤ１及び非表示領域ＲＤ２の各々は、非表示領域ＲＤの一例に対応する。
【００７３】
この場合には、図８の下段の図に示すように、調整部１５４は、境界位置ＰＢを第１境界位置ＰＢ１から境界位置ＰＢＢに調整する。具体的には、調整部１５４は、第１境界位置ＰＢ１を左方向に距離ＤＲ２だけ移動することによって、境界位置ＰＢを第１境界位置ＰＢ１から境界位置ＰＢＢに調整する。
その結果、第１領域Ａ１の左右方向のサイズは距離ＤＲ２だけ減少し、第２領域Ａ２の左右方向のサイズは距離ＤＲ２だけ増加する。距離ＤＲ２は、図７に示す距離ＤＲ１より長い。
そして、表示制御部１５２は、第２領域Ａ２において左右方向の非表示領域ＲＤが発生しないように、アスペクト比を第２アスペクト比に保持して第２画像Ｐ２を拡大した第２画像Ｐ２Ｂを第２領域Ａ２に表示する。
【００７４】
図８を参照して説明したように、ツールバーＴＢが表示されている場合にも、非表示領域ＲＤの面積が減少するように、境界位置ＰＢを調整することによって、第１画像Ｐ１を縮小することなく第２画像Ｐ２を拡大できる。
なお、図８における第１アスペクト比と第２アスペクト比とが逆である場合には、非表示領域ＲＤの面積が減少するように、境界位置ＰＢを調整することによって、第２画像Ｐ２を縮小することなく第１画像Ｐ１を拡大できる。
【００７５】
図７及び図８を参照して説明したように、下記の３つの条件（条件Ａ〜条件Ｃ）を満たす場合には、第１画像Ｐ１を縮小することなく第２画像Ｐ２を拡大できるか、又は、第２画像Ｐ２を縮小することなく第１画像Ｐ１を拡大できる。
条件Ａ：設定部１５１が、境界位置ＰＢとして第１境界位置ＰＢ１を設定する。
条件Ｂ：第１画像Ｐ１及び第２画像Ｐ２の一方が、第１領域Ａ１よりも縦長の画像である。
条件Ｃ：第１画像Ｐ１及び第２画像Ｐ２の他方が、第１領域Ａ１よりも横長の画像である。
【００７６】
［４．制御部の処理］
図９は、制御部１５０の処理の一例を示すフローチャートである。
なお、図９では、設定部１５１が、画像表示領域ＲＢを第１領域Ａ１と第２領域Ａ２とに分割する境界位置ＰＢを設定する場合について説明する。
また、図９では、便宜上、境界位置ＰＢの再設定を指示するユーザーの操作が行われない場合について説明する。境界位置ＰＢの再設定を指示するユーザーの操作とは、例えば、境界位置ＰＢを第１境界位置ＰＢ１から第２境界位置ＰＢ２に再設定することを指示する操作である。
【００７７】
図９に示すように、まず、ステップＳ１０１において、設定部１５１は、画像を表示可能な領域を示す表示可能領域ＲＡの一部を画像表示領域ＲＢに設定する。具体的には、表示可能領域ＲＡのうち、ツールバーＴＢを除く領域を画像表示領域ＲＢに設定する。
次に、ステップＳ１０３において、設定部１５１は、画像表示領域ＲＢを第１領域Ａ１と第２領域Ａ２とに分割する境界位置ＰＢを設定する。例えば、設定部１５１は、第１領域Ａ１のサイズと第２領域Ａ２のサイズとが等しくなるように、境界位置ＰＢとして第１境界位置ＰＢ１を設定する。
次に、ステップＳ１０５において、表示制御部１５２は、第１画像Ｐ１を、第１領域Ａ１に表示する。具体的には、表示制御部１５２は、第１画像Ｐ１のアスペクト比を保持したまま、可能な限り大きいサイズで第１画像Ｐ１を第１領域Ａ１に表示する。
次に、ステップＳ１０７において、表示制御部１５２は、第２画像Ｐ２を、第２領域Ａ２に表示する。具体的には、表示制御部１５２は、第２画像Ｐ２のアスペクト比を保持したまま、可能な限り大きいサイズで第２画像Ｐ２を第２領域Ａ２に表示する。
【００７８】
次に、ステップＳ１０９において、調整部１５４は、第１画像Ｐ１のアスペクト比である第１アスペクト比と、第２画像Ｐ２のアスペクト比である第２アスペクト比とを取得する。
次に、ステップＳ１１１において、調整部１５４は、第１アスペクト比と第２アスペクト比とに応じて、画像表示領域ＲＢにおいて非表示領域ＲＤの面積が減少するように、境界位置ＰＢを調整する。
次に、ステップＳ１１３において、再設定部１５３は、画像表示領域ＲＢのサイズが変化したか否かを判定する。
画像表示領域ＲＢのサイズが変化したと再設定部１５３が判定した場合（ステップＳ１１３；ＹＥＳ）には、処理がステップＳ１０１に戻る。そして、ステップＳ１０１において、再設定部１５３は、画像を表示可能な領域を示す表示可能領域ＲＡの一部を画像表示領域ＲＢに再設定し、ステップＳ１０３において、再設定部１５３は、境界位置ＰＢを再設定する。その後、ステップＳ１０５以降の処理が実行される。
画像表示領域ＲＢのサイズが変化していないと再設定部１５３が判定した場合（ステップＳ１１３；ＮＯ）には、処理がステップＳ１１５に進む。
そして、ステップＳ１１５において、再設定部１５３は、画像表示領域ＲＢの位置が変化したか否かを判定する。
画像表示領域ＲＢの位置が変化したと再設定部１５３が判定した場合（ステップＳ１１５；ＹＥＳ）には、処理がステップＳ１０１に戻る。そして、ステップＳ１０１において、再設定部１５３は、画像を表示可能な領域を示す表示可能領域ＲＡの一部を画像表示領域ＲＢに再設定し、ステップＳ１０３において、再設定部１５３は、境界位置ＰＢを再設定する。その後、ステップＳ１０５以降の処理が実行される。
画像表示領域ＲＢの位置が変化していないと再設定部１５３が判定した場合（ステップＳ１１５；ＮＯ）には、処理がステップＳ１１７に進む。
【００７９】
そして、ステップＳ１１７において、表示制御部１５２は、第１画像Ｐ１の第１領域Ａ１への表示が終了したか否かを判定する。
第１画像Ｐ１の第１領域Ａ１への表示が終了したと表示制御部１５２が判定した場合（ステップＳ１１７；ＹＥＳ）には、制御部１５０の処理が終了する。第１画像Ｐ１の第１領域Ａ１への表示が終了していないと表示制御部１５２が判定した場合（ステップＳ１１７；ＮＯ）には、処理がステップＳ１１９に進む。
そして、ステップＳ１１９において、表示制御部１５２は、第２画像Ｐ２の第２領域Ａ２への表示が終了したか否かを判定する。
第２画像Ｐ２の第２領域Ａ２への表示が終了していないと表示制御部１５２が判定した場合（ステップＳ１１９；ＮＯ）には、処理がステップＳ１１３に戻る。第２画像Ｐ２の第２領域Ａ２への表示が終了したと表示制御部１５２が判定した場合（ステップＳ１１９でＹＥＳ）には、制御部１５０の処理が終了する。
【００８０】
［５．本実施形態及び作用効果］
以上、図１〜図９を参照して説明したように、本実施形態に係るプロジェクター１００の制御方法は、画像表示領域ＲＢを第１領域Ａ１と第２領域Ａ２とに分割する境界位置ＰＢを設定し、第１画像Ｐ１を、第１領域Ａ１に表示し、第１画像Ｐ１と相違する第２画像Ｐ２を、第２領域Ａ２に表示し、画像表示領域ＲＢのサイズ及び位置の少なくとも一方が変化した場合に、境界位置ＰＢを再設定する。
よって、画像表示領域ＲＢのサイズ及び位置の少なくとも一方が変化した場合に、境界位置ＰＢを再設定するため、適正な境界位置ＰＢに再設定できる。したがって、境界位置ＰＢを適正に設定できる。
【００８１】
また、プロジェクター１００の制御方法は、画像を表示可能な領域を示す表示可能領域ＲＡの一部を画像表示領域ＲＢに設定する。
したがって、画像表示領域ＲＢを適正に設定できる。
【００８２】
また、プロジェクター１００の制御方法は、表示可能領域ＲＡのうち、ツールバーＴＢを除く領域を画像表示領域ＲＢに設定する。
したがって、画像表示領域ＲＢを適正に設定できる。
【００８３】
また、プロジェクター１００の制御方法は、第１領域Ａ１のサイズと第２領域Ａ２のサイズとが等しくなるように、境界位置ＰＢとして第１境界位置ＰＢ１を設定する。
よって、境界位置ＰＢとしてユーザーの所望する第１境界位置ＰＢ１を設定できる。したがって、ユーザーの利便性を向上できる。
【００８４】
また、プロジェクター１００の制御方法は、第１領域Ａ１のサイズが第２領域Ａ２のサイズより大きくなるように、境界位置ＰＢとして第２境界位置ＰＢ２を設定する。
よって、境界位置ＰＢとしてユーザーの所望する第２境界位置ＰＢ２を設定できる。したがって、ユーザーの利便性を向上できる。
【００８５】
また、プロジェクター１００の制御方法は、ユーザーの第１の操作に応じて、境界位置ＰＢを第１境界位置ＰＢ１から第２境界位置ＰＢ２に再設定し、ユーザーの前記第１の操作と異なる第２の操作に応じて、境界位置ＰＢを第２境界位置ＰＢ２から第１境界位置ＰＢ１に再設定する。
よって、ユーザーの第１の操作に応じて、境界位置ＰＢを第１境界位置ＰＢ１から第２境界位置ＰＢ２に再設定し、ユーザーの前記第１の操作と異なる第２の操作に応じて、境界位置ＰＢを第２境界位置ＰＢ２から第１境界位置ＰＢ１に再設定できる。したがって、ユーザーの利便性を向上できる。
【００８６】
また、プロジェクター１００の制御方法において、第１画像Ｐ１は、第１入力インターフェースから入力され、第２画像Ｐ２は、第１入力インターフェースと相違する第２入力インターフェースから入力される。
したがって、簡素な構成で第１画像Ｐ１及び第２画像Ｐ２の各々を表示できる。
【００８７】
また、プロジェクター１００の制御方法は、第１画像Ｐ１のアスペクト比である第１アスペクト比と、第２画像Ｐ２のアスペクト比である第２アスペクト比と、に応じて、境界位置ＰＢを調整する。
したがって、第１アスペクト比と第２アスペクト比とに応じて、境界位置ＰＢを調整するため、境界位置ＰＢを適正に調整できる。
【００８８】
また、プロジェクター１００の制御方法は、第１アスペクト比と、第２アスペクト比とに応じて、画像表示領域ＲＢにおいて画像が表示されない領域の面積が減少するように、境界位置ＰＢを調整する。
したがって、画像表示領域ＲＢにおいて画像が表示されない領域の面積が減少するように、境界位置ＰＢを調整するため、境界位置ＰＢを適正に調整できる。
【００８９】
また、プロジェクター１００の制御方法において、境界位置ＰＢは、画像表示領域ＲＢの短辺方向と平行に配置される。
したがって、境界位置ＰＢは、画像表示領域ＲＢの短辺方向と平行に配置されるため、境界位置ＰＢを適正に設定できる。
【００９０】
また、プロジェクター１００の制御方法は、画像表示領域ＲＢを第１領域Ａ１、第２領域Ａ２、第３領域Ａ３及び第４領域Ａ４に分割する境界位置ＰＢを設定し、第１画像Ｐ１、及び第２画像Ｐ２と相違する第３画像Ｐ３を、第３領域Ａ３に表示し、第１画像Ｐ１、第２画像Ｐ２、及び第３画像Ｐ３と相違すると相違する第４画像Ｐ４を、第４領域Ａ４に表示し、境界位置ＰＢは、画像表示領域ＲＢの短辺方向と平行に配置される境界位置と、画像表示領域ＲＢの長辺方向と平行に配置される境界位置とを含む。
したがって、境界位置ＰＢは、画像表示領域ＲＢの短辺方向と平行に配置される境界位置と、画像表示領域ＲＢの長辺方向と平行に配置される境界位置とを含むため、画像表示領域ＲＢを第１領域Ａ１、第２領域Ａ２、第３領域Ａ３及び第４領域Ａ４に分割する境界位置ＰＢを設定できる。
【００９１】
また、本実施形態に係るプロジェクター１００は、画像表示領域ＲＢを第１領域Ａ１と第２領域Ａ２とに分割する境界位置ＰＢを設定する設定部１５１と、第１画像Ｐ１を第１領域Ａ１に表示し、第１画像Ｐ１と相違する第２画像Ｐ２を第２領域Ａ２に表示する表示制御部１５２と、画像表示領域ＲＢのサイズ及び位置の少なくとも一方が変化した場合に、境界位置ＰＢを再設定する再設定部１５３と、を備える。
よって、画像表示領域ＲＢのサイズ及び位置の少なくとも一方が変化した場合に、再設定部１５３が境界位置ＰＢを再設定するため、適正な境界位置ＰＢに再設定できる。したがって、境界位置ＰＢを適正に設定できる。
【００９２】
［６．他の実施形態］
上述した本実施形態は、好適な実施の形態である。ただし、上述の実施形態に限定されるものではなく、要旨を逸脱しない範囲内において種々の変形実施が可能である。
本実施形態では、画像表示領域ＲＢを２つの領域に分割する場合、及び、画像表示領域ＲＢを４つの領域に分割する場合について説明したが、本発明の実施形態はこれらに限定されない。画像表示領域ＲＢを３つの領域に分割する形態でもよいし、画像表示領域ＲＢを５つ以上の領域に分割する形態でもよい。
【００９３】
また、本実施形態では、表示可能領域ＲＡに１つのツールバーＴＢが表示される場合について説明したが、本発明の実施形態はこれに限定されない。表示可能領域ＲＡに２つ以上のツールバーＴＢが表示される形態でもよい。
【００９４】
また、本実施形態では、第２画像Ｐ２が第１画像と相違する場合について説明したが、第２画像Ｐ２が第１画像と同一の画像であってもよい。
【００９５】
また、図１及び図２に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、或いは、ハードウェアで実現される機能の一部をソフトウェアで実現してもよい。その他、プロジェクター１００の他の各部の具体的な細部構成についても、趣旨を逸脱しない範囲で任意に変更可能である。
【００９６】
また、図９に示すフローチャートの処理単位は、プロジェクター１００の処理を理解容易にするために、主な処理内容に応じて分割したものである。図９のフローチャートに示す処理単位の分割の仕方や名称によって制限されることはなく、処理内容に応じて、さらに多くの処理単位に分割することもできるし、１つの処理単位がさらに多くの処理を含むように分割することもできる。また、上記のフローチャートの処理順序も、図示した例に限られるものではない。
【００９７】
また、プロジェクター１００の制御方法は、プロジェクター１００が備えるプロセッサー１５Ｂに、プロジェクター１００の制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＨＤＤ（Ｈａｒｄ  Ｄｉｓｋ  Ｄｒｉｖｅ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、Ｂｌｕ−ｒａｙ（登録商標）  Ｄｉｓｃ、光磁気ディスク、フラッシュメモリー、カード型記録媒体等の可搬型、或いは固定式の記録媒体が挙げられる。また、記録媒体は、画像処理装置が備える内部記憶装置であるＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ等の不揮発性記憶装置であってもよい。また、プロジェクター１００の制御方法に対応したプログラムをサーバー装置等に記憶させておき、サーバー装置からプロジェクター１００に、プログラムをダウンロードすることでプロジェクター１００の制御方法を実現することもできる。
【符号の説明】
【００９８】
１…表示システム、１００…プロジェクター（表示装置）、１０５…スクリーン、１１０…投射部、１１１…光源部、１１２…光変調装置、１１３…投射光学系、１１５…液晶パネル、１２０…駆動部、１２１…光源駆動部、１２２…光変調装置駆動部、１３１…操作部、１３５…入力インターフェース、１４１…画像インターフェース、１４５…画像処理部、１５０…第１制御部、１５１…設定部、１５２…表示制御部、１５３…再設定部、１５Ａ…メモリー、１５Ｂ…プロセッサー、２００、２１０、２２０、２３０、２４０…画像供給装置、Ａ１…第１領域、Ａ２…第２領域、Ａ３…第３領域、Ａ４…第４領域、ＤＲ１、ＤＲ２…距離、ＬＬ、ＬＲ、ＬＵ、ＬＤ…サイズ、Ｐ１…第１画像、Ｐ２…第２画像、ＰＢ、ＰＢＡ、ＰＢＢ…境界位置、ＰＢ１、ＰＢ４…第１境界位置、ＰＢ２…第２境界位置、ＰＢ３…第３境界位置、ＲＡ…表示可能領域、ＲＢ、ＲＢ１、ＲＢ２、ＲＢ３、ＲＢ４１、ＲＢ４２、ＲＢ４３…画像表示領域、ＲＤ、ＲＤ１、ＲＤ２…非表示領域、ＴＢ…ツールバー。
【図１】
2020194107.tif 000003
【図２】
2020194107.tif 000004
【図３】
2020194107.tif 000005
【図４】
2020194107.tif 000006
【図５】
2020194107.tif 000007
【図６】
2020194107.tif 000008
【図７】
2020194107.tif 000009
【図８】
2020194107.tif 000010
【図９】
2020194107.tif 000011